(57)【要約】【課題】品質低下を招くことなく鋳造効率を高めることのできる連続鋳造機の鋳片支持装置を提供する。【解決手段】連続鋳造機の鋳型から連続的に引き出される鋳片の短辺平面部を支持する複数の短辺サポートユニットのうち上流に位置する複数台の短辺サポートユニットを、鋳片の短辺平面部に当接するグリッド面５１ａを有するグリッド５１と、グリッド５１を保持するグリッド受け５２と、グリッド受け５２を介してグリッド５１を鋳片の短辺平面部に押圧するグリッド押圧軸５３とを備え、鋳片の短辺平面部を面で支持するグリッド支持方式の短辺サポートユニットとした。【選択図】図３
2007260737.tif 000002
【特許請求の範囲】
【請求項１】
連続鋳造機の鋳型から連続的に引き出される鋳片の短辺平面部を支持する複数の短辺サポートユニットのうち上流に位置する複数台の短辺サポートユニットを、前記鋳片の短辺平面部に当接するグリッド面を有するグリッドと、該グリッドを保持するグリッド受けと、該グリッド受けを介して前記グリッドを前記鋳片の短辺平面部に押圧するグリッド押圧軸とを備え、前記鋳片の短辺平面部を面で支持するグリッド支持方式の短辺サポートユニットとしたことを特徴とする連続鋳造機の鋳片支持装置。
【請求項２】
請求項１記載の連続鋳造機の鋳片支持装置において、前記グリッド受けを揺動自在に支持するグリッド受けサポートを前記グリッド押圧軸の先端部に設けるとともに、前記グリッド面が前記鋳片の短辺平面部に当たる角度を調整する角度調整機構を前記グリッド受けサポートに設けたことを特徴とする連続鋳造機の鋳片支持装置。
【請求項３】
前記角度調整機構は前記グリッド受けサポートに固定された複数の角度調整用ナットと、前記グリッド受けの上面部に先端が当接するように前記角度調整用ナットに螺入された複数の角度調整用ボルトとを有してなることを特徴とする請求項２記載の連続鋳造機の鋳片支持装置。
【発明の詳細な説明】
【技術分野】
【０００１】
本発明は、連続鋳造機の鋳型から連続的に引き出された鋳片を支持する連続鋳造機の鋳片支持装置に関する。
【背景技術】
【０００２】
連続鋳造機の鋳型から連続的に引き出された鋳片は、その長辺平面部と短辺平面部を鋳片支持装置によって支持されながら二次冷却されるようになっており、この種の鋳片支持装置としては、鋳片の短辺平面部を支持する短辺サポートユニットとして、鋳片の短辺平面部をロールで支持するロール支持方式のものが知られている（例えば、特許文献１−３参照）。
【特許文献１】特開昭５２−１４５３３５号公報
【特許文献２】特開昭５９−８２１５２号公報
【特許文献３】実開平３−３６３４９号公報
【発明の開示】
【発明が解決しようとする課題】
【０００３】
しかしながら、上述した鋳片支持装置においては、鋳片の短辺平面部が線で支持されている。このため、鋳造効率を高めるために鋳片の通過速度を上昇させると、鋳片の短辺平面部にバルジングが発生し、品質低下を招くことがあった。この問題を解決する方策として、複数の短辺サポートユニットのうち上流側に位置する複数台の短辺サポートユニットをロール支持方式からグリッド支持方式（鋳片の短辺平面部を面で支持する方式）に変更することが考えられるが、グリッド支持方式に変更するためには、サポートユニット全体を改造しなければならないため、多大な改造費を要するという問題がある。また、従来におけるグリッド支持方式の短辺サポートユニットはサポートフレームに固定されているため、グリッドのグリッド面が鋳片の短辺平面部に当たる角度を調整してバルジングの発生を抑えることができないという問題があった。
本発明は上述した問題点に着目してなされたものであり、その目的は、品質低下を招くことなく鋳造効率を高めることのできる連続鋳造機の鋳片支持装置を提供することにある。
【課題を解決するための手段】
【０００４】
上記課題を解決するために、本発明のうち請求項１の発明に係る連続鋳造機の鋳片支持装置は、連続鋳造機の鋳型から連続的に引き出される鋳片の短辺平面部を支持する複数の短辺サポートユニットのうち上流に位置する複数台の短辺サポートユニットを、前記鋳片の短辺平面部に当接するグリッド面を有するグリッドと、該グリッドを保持するグリッド受けと、該グリッド受けを介して前記グリッドを前記鋳片の短辺平面部に押圧するグリッド押圧軸とを備え、前記鋳片の短辺平面部を面で支持するグリッド支持方式の短辺サポートユニットとしたことを特徴とする。
【０００５】
本発明のうち請求項２の発明に係る連続鋳造機の鋳片支持装置は、請求項１記載の連続鋳造機の鋳片支持装置において、前記グリッド受けを揺動自在に支持するグリッド受けサポートを前記グリッド押圧軸の先端部に設けるとともに、前記グリッド面が前記鋳片の短辺平面部に当たる角度を調整する角度調整機構を前記グリッド受けサポートに設けたことを特徴とする。
本発明のうち請求項３の発明に係る連続鋳造機の鋳片支持装置は、前記角度調整機構が前記グリッド受けサポートに固定された複数の角度調整用ナットと、前記グリッド受けの上面部に先端が当接するように前記角度調整用ナットに螺入された複数の角度調整用ボルトとを有してなることを特徴とする。
【発明の効果】
【０００６】
請求項１の発明に係る連続鋳造機の鋳片支持装置では、複数の短辺サポートユニットのうち上流側に位置する複数台の短辺サポートユニットをグリッド支持方式としたことで、鋳型から出た直後の鋳片はその短辺平面部がグリッド支持方式の短辺サポートユニットによって面で支持されることになる。これにより、鋳片の通過速度を上昇させても鋳片の短辺平面部にバルジングが発生し難くなるので、品質低下を招くことなく鋳造効率を高めることができる。
請求項２及び３の発明に係る連続鋳造機の鋳片支持装置では、グリッド面が鋳片の短辺平面部に当たる角度を調整する角度調整機構をグリッド受けサポートに設けたことで、グリッド面が鋳片の短辺平面部に当たる角度を任意に調整することが可能となるので、鋳片の短辺平面部にバルジング等が発生することを抑制することができる。
【発明を実施するための最良の形態】
【０００７】
以下、図１〜図５を参照して本発明の実施の形態について説明する。
図１において、符号１は鋳型、２は鋳型１から連続的に引き出された鋳片であって、この鋳片２の周囲には、鋳片２の短辺平面部２ａを支持する短辺サポート部３Ａと、鋳片２の長辺平面部２ｂを支持する長辺サポート部（図示せず）とからなる鋳片支持装置３が設けられている。
【０００８】
鋳片支持装置３の短辺サポート部３Ａは二種類の短辺サポートユニット、すなわちロール支持方式の短辺サポートユニット４とグリッド支持方式の短辺サポートユニット５とからなり、これらの短辺サポートユニット４，５は、鋳片２の周囲に設けられたサポートフレーム６（図２及び図３参照）に固定されている。なお、隣り合う二つの短辺サポートユニットの間には、鋳片２を二次冷却する二次冷却水スプレイ装置７（図１参照）が設けられている。
【０００９】
ロール支持方式の短辺サポートユニット４は、グリッド支持方式の短辺サポートユニット５より下流側に配置されている。また、ロール支持方式の短辺サポートユニット４は鋳片２の短辺平面部２ａに当接するロール４１（図２参照）と、このロール４１を回転自在に支持するロールサポート４２と、このロールサポート４２を介してロール４１を鋳片２の短辺平面部２ａに押圧するロール押圧軸４３とを備えており、ロール押圧軸４３の外周には、ロール押圧軸４３を介してロール４１を鋳片２の短辺平面部２ａに押し付けるために、多数の皿バネ４４が積層された状態で設けられている。
【００１０】
一方、グリッド支持方式の短辺サポートユニット５は、鋳片２が引き出される鋳型１の真下近傍に配置されている。また、グリッド支持方式の短辺サポートユニット５は、鋳片２の短辺平面部２ａに当接するグリッド面５１ａを有する二つのグリッド５１（図３及び図４参照）と、これらのグリッド５１を保持するグリッド受け５２と、このグリッド受け５２を介してグリッド５１を鋳片２の短辺平面部２ａに押圧するグリッド押圧軸５３とを備えており、グリッド押圧軸５３の先端部には、支持軸５５を介してグリッド受け５２を揺動自在に支持するグリッド受けサポート５６が設けられている。なお、グリッド押圧軸５３の外周には、グリッド押圧軸５３を介してグリッド５１のグリッド面５１ａを鋳片２の短辺平面部２ａに押し付けるために、多数の皿バネ５４が積層された状態で設けられている。
【００１１】
グリッド受けサポート５６には、グリッド５１のグリッド面５１ａが鋳片２の短辺平面部２ａに当たる角度を調整する角度調整機構５７（図３及び図４参照）が設けられている。この角度調整機構５７はグリッド受けサポート５６に固定された四つの角度調整用ナット５８と、これらの角度調整用ナット５８に螺入された四つの角度調整用ボルト５９とからなり、これら角度調整用ボルト５９の先端はグリッド受け５２の上面部に当接している。
【００１２】
上述したように、鋳片２の短辺平面部２ａを面で支持するグリッド支持方式の短辺サポートユニット５を鋳型１の真下近傍に複数台配置すると、鋳型１から出た直後の鋳片２はその短辺平面部２ａが短辺サポートユニット５によって面で支持されることになる。これにより、鋳片２の通過速度を上昇させても鋳片２の短辺平面部２ａにバルジングが発生し難くなるので、品質低下を招くことなく鋳造効率を高めることができる。
【００１３】
また、上述した第１の実施形態では、グリッド５１のグリッド面５１ａが鋳片２の短辺平面部２ａに当たる角度を調整する角度調整機構５７をグリッド受けサポート５６に設けたことで、図５に示すように、グリッド５１のグリッド面５１ａが鋳片２の短辺平面部２ａに当たる角度を任意に調整することが可能となるので、鋳片２の短辺平面部２ａにバルジング等が発生することを抑制することができる。
【００１４】
上述した第１の実施形態では、グリッド支持方式の短辺サポートユニット５を鋳片２の両側に三台ずつ配置したものを例示したが、これに限定されるものではなく、たとえば、短辺サポートユニット５を鋳片２の両側に二台ずつ配置してもよいし、あるいは鋳片２の両側に四台ずつ配置してもよい。
また、四つの角度調整用ナット５８と四つの角度調整用ボルト５９とからなる角度調整機構５７をグリッド受けサポート５６に設けたものを例示したが、本発明はこれに限定されるものではなく、角度調整用ナットや角度調整用ボルトの数は二つ以上であればよい。
【図面の簡単な説明】
【００１５】
【図１】本発明の第１の実施形態に係る連続鋳造機の鋳片支持装置の概略を示す図である。
【図２】鋳片の短辺平面部をロールで支持する方式の短辺サポートユニットの概略構成図である。
【図３】鋳片の短辺平面部をグリッドで支持する方式の短辺サポートユニットの概略構成図である。
【図４】鋳片の短辺平面部をグリッドで支持する方式の短辺サポートユニットの一部を示す図である。
【図５】図３及び図４に示す短辺サポートユニットの作用を説明するための図である。
【符号の説明】
【００１６】
１  鋳型
２  鋳片
２ａ  短辺平面部
３  鋳片支持装置
４，５  短辺サポートユニット
４１  ロール
４２  ロールサポート
４３  ロール押圧軸
５１  グリッド
５１ａ  グリッド面
５２  グリッド受け
５３  グリッド押圧軸
５５  支持軸
５６  グリッド受けサポート
５７  角度調整機構
５８  角度調整用ナット
５９  角度調整用ボルト
【図１】
2007260737.tif 000003
【図２】
2007260737.tif 000004
【図３】
2007260737.tif 000005
【図４】
2007260737.tif 000006
【図５】
2007260737.tif 000007